(57)【要約】  高分子材料をフローコートするための方法であって、少なくとも、ａ．１つの構成部品（１）が、ホルダー（２）内に床（５）に対して２５°〜９０°の角度で挿入され、ｂ．構成部品（１）は、上縁（１ａ）から、ワニス（３）で被覆され、ワニス（３）は、その間に、上縁（１ａ）に隣接する構成部品（１）の表面の３０％の領域内で空気（４）の流れに影響される、方法。【特許請求の範囲】
【請求項１】
高分子材料をフローコートするための方法であって、少なくとも、
ａ．１つの構成部品（１）が、ホルダー（２）内に床（５）に対して２５°〜９０°の角度で挿入され、
ｂ．構成部品（１）が、上縁（１ａ）から、ワニス（３）で被覆され、ワニス（３）が、その間に、上縁（１ａ）に隣接する構成部品（１）の表面の３０％の領域内で空気（４）の流れに影響される、方法。
【請求項２】
高分子材料をフローコートするための方法であって、少なくとも、
ａ．１つの構成部品（１）が、ホルダー（２）内に床（５）に対して２５°〜９０°の角度で挿入され、
ｂ．構成部品（１）が、上縁（１ａ）に隣接する構成部品（１）の表面の３０％の領域内で２５℃〜１００℃の温度に加熱され、構成部品（１）が、その間におよび／またはその後、上縁（１ａ）からワニス（３）で被覆される、方法。
【請求項３】
ステップｂが、３０秒〜１２０秒後に少なくとも一度繰り返される、請求項１または２に記載の方法。
【請求項４】
構成部品（１）が、床に対して３５°〜７０°、好ましくは４０°〜６０°の角度でホルダー（２）に挿入される、請求項１から３の一項に記載の方法。
【請求項５】
空気（４）の流れが、１ｍ／ｓ〜５ｍ／ｓ、好ましくは２ｍ／ｓ〜４ｍ／ｓの速度を有する、請求項１から４の一項に記載の方法。
【請求項６】
空気（４）の流れが、３０℃〜１５０℃、好ましくは、４０℃〜８０℃の温度を有する、請求項１から５の一項に記載の方法。
【請求項７】
ワニス（３）が、トップコートおよび／または下塗剤を含む、請求項１から６の一項に記載の方法。
【請求項８】
トップコートおよび／または下塗剤が、有機的に改質されたシリコーン樹脂および／またはポリアクリレート類を含む、請求項７に記載の方法。
【請求項９】
ワニス（３）が、溶媒、好ましくは、水、アルコール、フェノール類および／またはケトン類、特に、エタノール、メタノール、２−プロパノール、ｎ−ブタノール、１−メトキシ−２−プロパノール、４−ヒドロキシ−４−メチル−２−ペンタノンおよび／またはそれらの混合物または誘導体を含む、請求項１から８の一項に記載の方法。
【請求項１０】
ワニス（３）が、４−メチル−２−ペンタノンおよび／または誘導体を含む、請求項１から９の一項に記載の方法。
【発明の詳細な説明】
【技術分野】
【０００１】
本発明は、高分子材料をフローコートするための方法および装置に関する。
【背景技術】
【０００２】
コーティングおよびワニスを塗布することは、外観に加えて、高分子材料の表面の質および抵抗に実質的な効果を有する。これは、高分子材料の色や光沢などの視覚的印象およびその化学的および機械的抵抗の両方に関係がある。ワニスが、被覆される部品に単に不十分に付着する場合、恒久的に付着するワニスの塗布は、２段階プロセスで行われることができる。第１のステップにおいて、ポリマー部とトップコートとの間の化学的または物理的な結合を生じる下塗剤が、塗布される。下塗剤の塗布および硬化後に、機能層が塗布されることができる。着色化合物および顔料に加えて、機能層および下塗剤は、構成部品と同様にＵＶ遮断物および防腐剤を含むことができ、引っかき抵抗性、例えば、ナノ粒子を増大させる。多くの場合では、最初に塗布された下塗剤は、ＵＶ遮断物および防腐剤を含む。次いで、第２のステップでは、ハードコートが下塗剤上に塗布される。ハードコートは、多くの場合には、ハイブリッドポリシロキサン類を含み、有機残留物−Ｒを備えたＳｉ−Ｏ基およびＳｉ−Ｒ基の両方を含む。これらのハードコートは、機械的応力、攻撃的な化学物質または化合物に対する高い抵抗を有する。これは、主に、有機溶媒を含むが、希酸および塩基も含む。
【０００３】
下塗剤およびトップコートからなるワニスは、様々な方法を使用して塗布されることができる。一般に使用される方法としては、ブラッシングおよびローリング、エアゾールの噴霧、粉体コーティング、ディップコーティング、および溶液、乳濁液、または懸濁液のフローコーティングの他に、ガス相からのＣＶＤ（化学蒸着）およびＰＶＤ（物理蒸着）法が挙げられる。方法は、それらの装置の必要条件、コスト、および特に多量の場合にそれらの再現性において著しく異なる。多量に高分子材料を塗布する一般的な方法は、フローコーティングである。このために、構成部品は、液体ワニスで上縁から影響される。結果として生じるコーティングは、１つまたは複数の固定して設けられたフローコートノズルまたはワニスカーテンで、または移動可能なフローロボットアームで行うことができる。流れるワニスは、フローロボットアームの位置に依存して構成部品全体を湿らす。
【０００４】
フローコーティングの欠点は、ワニスの塗布の点または上側奔流端および過剰ワニスの下側滴下縁からの物理的に生み出されたコーティング厚さの傾斜である。被覆される構成部品上のその経路上で、溶媒の一部が蒸発する。溶媒濃度の低下は、多くの場合に、滴下縁の領域中のワニスの粘性の増大をもたらす。粘性の増大は、同時に、滴下速度を低下し、滴下縁の領域における層厚さの増大も同時に引き起こす。さらに、あらかじめ重合され、部分的に重合されたワニスの一部は、滴下縁の領域に堆積し、溜まる可能性がある。奔流領域では、必要な層厚さは、頻繁に達せられない。ところが、滴下縁では、ワニスの連続する流れにより、過剰な層厚さが成長する可能性がある。不十分な層厚さは、耐候性の損失、したがって、被覆された構成部品の急速な経年変化をもたらす場合がある。対照的に、ワニスの過剰な層厚さは、しばしば、応力亀裂の形成を引き起こす。この効果は、複数のワニス層または機能層が、被覆される部品上に塗布される場合に強められる。
【０００５】
独国特許出願公開第１９９０６２４７号明細書は、自動車体上に２層トップコートを生成するための方法を開示している。透明ワニスコーティング材料からなる透明最終コートは、水系ベースコート上に塗布される。
【０００６】
英国特許第１，０９７，４６１号明細書は、プラスチックシートまたはフィルムを印刷し着色する方法を開示している。着色はブラッシング、スプレー、またはフローコーティングによって塗布され、次いで、乾燥によって固定されることができる。
【０００７】
英国特許第１，２０１，２９２号明細書は、低温で硬化されることができる木材、ガラス、プラスチック、および合成車体部品用のアクリルコーティングを開示している。アクリルコーティングは、スプレー、ディッピング、ブラッシング、またはフローコーティングによって塗布されることができる。
【０００８】
英国特許出願公開第２１２３８４１号明細書は、ディップコーティングおよびフローコーティング法によって材料に塗布されることができる薄い耐摩耗性ポリウレタンコーティングを開示している。可能な基板は、特に、透明ポリカーボネートおよび熱可塑性ポリウレタンシートである。
【０００９】
国際公開第２００８／１３４７６８号明細書は、高分子材料をフローコートするための方法を開示している。コーティングは、所定のコーティング角度で塗布される。
【先行技術文献】
【特許文献】
【００１０】
【特許文献１】独国特許出願公開第１９９０６２４７号明細書
【特許文献２】英国特許第１，０９７，４６１号明細書
【特許文献３】英国特許第１，２０１，２９２号明細書
【特許文献４】英国特許出願公開第２１２３８４１号明細書
【特許文献５】国際公開第２００８／１３４７６８号
【発明の概要】
【発明が解決しようとする課題】
【００１１】
本発明の目的は、被覆される構成部品上に塗布されることが可能なワニスの層の均一な層厚さを形成する高分子材料をフローコートするための方法を提供することである。特に、ワニスの層厚さの傾斜は、上側奔流端から下側滴下縁までできるだけ小さいべきである。
【課題を解決するための手段】
【００１２】
本発明の目的は、請求項１に記載の高分子材料をフローコートするための方法によって本発明によって完成される。好ましい実施形態は、従属請求項によって付与される。
【００１３】
フローコーティングのための本発明による装置およびその使用は、さらなる独立請求項から明らかになる。
【００１４】
高分子材料をフローコートするための本発明による方法は、第１のステップを含み、少なくとも１つの構成部品は、ホルダー内に床に対して２５°〜９０°の角度で挿入される。構成部品は、次いで、上縁からワニスで被覆される。ワニスは、構成部品上の上縁から滴下縁まで全面的に流れる。被覆される構成部品のサイズによって、ワニスは、ワニスカーテンおよび／または互いに隣接して配置された複数のノズルから構成部品上に流れる。他の選択では、ワニスは、移動可能なノズルアームから構成部品上に塗布される。構成部品の上縁下のワニスは、ワニスが構成部品上を流れると同時におよび／または間に、空気の流れによって影響される。本発明の文脈では、表現「上縁下」は、端に隣接する構成部品の表面の３０％を含む。上縁下の領域内の少なくとも小領域上の空気の流れによる影響は、ワニス中の溶媒の蒸発を増大させ、ワニスの粘性を増大する。増大した粘性は、上縁下の領域中のワニスの流れを遅くし、下側滴下縁上のワニスの層厚さと上縁下のワニスの層厚さを等しくする。
【００１５】
高分子材料をフローコートするための本発明による方法の別の実施形態では、第１のステップにおいて、少なくとも１つの構成部品が、ホルダー内に床に対して２５°〜９０°の角度で挿入される。次いで、構成部品は、２５℃〜１００℃の温度に上縁上で加熱され、その間および／またはその後、上縁からワニスで被覆される。表現「上縁」は、上記のように、上縁に隣接する構成部品の表面の３０％までを称する。上縁の加熱は、空気の熱い流れまたは送風機で行われることができる。代替選択は、例えば、赤外線ラジエタと共に、放射熱を使用する加熱である。上縁下の構成部品の加熱は、空気の流れによる影響と同様に、ワニス中の溶媒の蒸発を増大し、ワニスの粘性を増大する。増大した粘性は、上縁下の領域中のワニスの流れを遅くし、下側滴下縁上のワニスの層厚さと上縁（奔流端）下のワニスの層厚さを等しくする。
【００１６】
説明された本発明による方法の２つの実施形態は、自動プロセスで繰り返されることもできる。ワニスの塗布の繰り返しおよび空気の流れまたは構成部品の加熱による影響は、複数の同じおよび／または異なるワニス層の複数の堆積を可能にする。繰り返しは、同じ装置および搬送機ベルトによって互いに接続された本発明による異なる装置の両方上で行われることができる。
【００１７】
構成部品は、ホルダー内に床に対して好ましくは３５°〜７０°、特に好ましくは、４０°〜６０°の角度で挿入される。ホルダーは、好ましくは、金属および／または合金、特に好ましくは、鉄、アルミニウム、クロム、バナジウム、ニッケル、モリブデン、マンガン、またはポリエチレン、ポリプロピレン、ポリスチレン、ポリウレタン類、ポリカーボネート類、ポリメチルメタクリレート類、ポリアクリレート類、ポリエステル類、ポリアミド類および／またはそれらの混合物または共重合体などのポリマーを含む。
【００１８】
空気の流れは、好ましくは、１ｍ／ｓ〜５ｍ／ｓ、好ましくは、２ｍ／ｓ〜４ｍ／ｓの速度を有する。
【００１９】
空気の流れは、好ましくは、３０℃〜１５０℃、好ましくは、４０℃〜８０℃の温度を有する。
【００２０】
本発明は、さらに、高分子材料をフローコートするための装置を含む。装置は、ホルダー内に床に対して２５°〜９０°の角度で挿入された少なくとも１つの構成部品を含む。構成部品は、少なくとも１つの高分子材料を含み、その上、構成部品は、金属および／またはガラスを含むこともできる。高分子材料は、好ましくは、ポリエチレン、ポリプロピレン、ポリスチレン、ポリウレタン類、ポリカーボネート類、ポリメチルメタクリレート類、ポリアクリレート類、ポリエステル類、ポリアミド類、ポリエチレンテレフタレートおよび／またはそれらの混合物または共重合体、特に好ましくは、ポリカーボネート、およびポリカーボネート／ポリエチレンテレフタレート、ポリカーボネート／アクリロニトリルブタジエンスチレン、ポリカーボネート／ポリブチレンテレフタレートなどのポリカーボネート混合物を含む。構成部品は、好ましくは、２５０ｃｍ２を超える、特に好ましくは、５００ｃｍ２を超える表面を有する。ノズル、好ましくは、移動可能なロボットアームは構成部品上方に配置されて、構成部品上にワニスを塗布する。ノズルまたは移動可能なロボットアームは、床および端に隣接する構成部品の表面の３０％に対する上縁上へのワニスの塗布を可能にする。空気ノズルおよび／または熱源は、構成部品の上縁に向けられる。構成部品のサイズおよび幅に依存して、複数の空気ノズルおよび／または熱源は、互いに隣接して配置されることもできる。
【００２１】
ホルダーは、好ましくは、搬送機ベルト、床搬送機、または吊下げ搬送機上に設置される。搬送機ベルトは、好ましくは、ワニスライン内に位置し、このようにして、大量の構成部品のフローコーティングおよび複数のワニスを塗布するステップを可能にする。
【００２２】
空気ノズルまたは噴霧装置は、好ましくは、一時的な静止（止め置かれた）状態で構成部品から１００ｍｍ〜１０００ｍｍ、好ましくは、１５０ｍｍ〜４００ｍｍ離れて配置される。
【００２３】
好ましくは、１〜１０の空気ノズル、特に好ましくは、２〜５の空気ノズルが構成部品の前に配置される。
【００２４】
ワニスは、好ましくは、トップコートおよび／または下塗剤、特に好ましくは、トップコート中の有機的に改質されたシリコーン樹脂および／または下塗剤中のポリアクリレート類を含む。
【００２５】
ワニスは、好ましくは、溶媒、好ましくは、水、アルコール類および／またはケトン類、特に好ましくは、メタノール、２−プロパノール、ｎ−ブタノール、１−メトキシ−２−プロパノール、４−ヒドロキシ−４−メチル−２−ペンタノンおよび／またはそれらの混合物または誘導体を含む。
【００２６】
下塗剤は、溶媒、好ましくは、１−メトキシ−２−プロパノール、４−ヒドロキシ−４−メチル−２−ペンタノンおよび／またはそれらの混合物または誘導体を含む。トップコートは、溶媒、好ましくは、水、特に好ましくは、メタノール、２−プロパノール、ｎ−ブタノールおよび／またはそれらの混合物または誘導体を含む。
【００２７】
ワニスは、好ましくは、４−メチル−２−ペンタノン（ＭＩＢＫ［メチルイソブチルケトン］）および／またはその誘導体を含む。４−メチル−２−ペンタノンの使用は、驚くほどに、製造されたワニスコーティングの層厚さの均質性を増大させる。実験は、２〜１０％上縁の領域（上縁からの構成部品の長さのおよそ３０％まで）の層厚さの増大および２〜１０％の下縁の領域（下縁からの構成部品の長さのおよそ３０％まで）における層厚さの減少を生じる。
【００２８】
本発明は、さらに、高分子材料をフローコートするため、好ましくは、自動車中のプラスチック部品をフローコートするため、特に好ましくは、自動車ルーフをフローコーティングするためおよび／またはプラスチックからなる自動車グレージングのための本発明による装置の使用を含む。
【００２９】
以下では、本発明は、図面を参照して詳細に説明される。図面は、単に概要であり、縮尺に忠実ではない。図面は、本発明を決して限定しない。
【図面の簡単な説明】
【００３０】
【図１】本発明による装置の１つの実施形態の概略図である。
【図２】本発明による装置の他の実施形態の概略図である。
【図３】先行技術のフローコートされた構成部品の断面図である。
【図４】本発明の方法によるフローコートされた構成部品の断面図である。
【発明を実施するための形態】
【００３１】
図１は、本発明による装置（１０）の好ましい実施形態の概略図である。被覆される構成部品（１）は、ホルダー（２）内に位置し、構成部品（１）の上縁（１ａ）から移動可能なノズルアーム（６）によってワニス（３）で被覆される。構成部品（１）の上縁（１ａ）内の領域、つまり、端に隣接する表面の３０％において、ワニス（３）は、空気ノズル（７ａ）からの空気（４）の流れに影響される。ホルダー（２）は、好ましくは、床搬送機（８）上に位置する。床（５）上の床搬送機（８）は、ワニスラインおよび組立てラインで本発明による装置（１０）を使用することを可能にする。
【００３２】
図２は、本発明による装置（１０）の他の好ましい実施形態の概略図である。基本構造は、図１に記載された装置の構造に相当する。しかしながら、上縁の領域では、構成部品は、熱源（７ｂ）によってワニス（３）（図示せず）の塗布前または塗布中に加熱される。ワニス（３）中の溶媒は、加熱された領域中でより速く蒸発し、このようにしてより高い粘性および上縁（１ａ）上の層厚さ（ａ）を生成する。床（５）上の搬送機ベルト（８）は、図１の場合のように、ワニスラインおよび組立てラインにおいて、移動（１１）の方向における本発明による装置（１０）を使用することを可能にする。
【００３３】
図３は、先行技術によるフローコートされた構成部品の断面図を表す。構成部品（１）は、上縁（ａ’）から滴下縁（ｂ’）までフローコートされた。ワニス（３）中の溶媒の一部は、構成部品（１）上を流れる間に蒸発する。構成部品（１）が長く、周囲温度が高いほど、それだけこの効果は大きい。ワニス（３）中の溶媒の減少は、ワニス（３）の粘性の増大、したがって、滴下縁（ｂ’）の領域中のワニスの層厚さの不都合な増大を引き起こす。
【００３４】
図４は、本発明の方法によるフローコートされた構成部品の断面図を表す。構成部品（１）は、上縁（ａ）から滴下縁（ｂ）までフローコートされ、ワニス（３）は、その間に、空気（４）の流れによって構成部品（１）の上縁（１ａ）下で影響された。ワニス（３）中の溶媒の一部は、構成部品（１）上を流れる間に蒸発する、すなわち、図３に記載されるように、構成部品（１）が長く、周囲温度が高いほど、それだけこの効果は大きい。しかしながら、空気（４）の流れによる影響は、上縁（ａ）上のワニス（３）の溶媒の蒸発を増大させる。結果として起こる高い粘性は、上縁（ａ）上のワニス（３）の層厚さを増大させ、滴下縁（ｂ）上のワニス（３）の層厚さとの差を確実に小さくする。図３による装置でのフローコーティングに比較して、上縁（１ａ）の中間の層厚さは、本発明による装置および方法で３％〜５％増大する。
【符号の説明】
【００３５】
（１）構成部品
（１ａ）構成部品の上縁
（２）ホルダー
（３）ワニス
（４）空気の流れ
（５）床
（６）ノズル／スプレーアーム
（７ａ）空気ノズル
（７ｂ）熱源
（８）搬送機ベルト／床搬送機
（９）温度放射
（１０）本発明による装置
（１１）移動方向
（ａ、ａ’）上縁／奔流端
（ｂ、ｂ’）滴下縁
【図１】
2013532059.tif 000002
【図２】
2013532059.tif 000003
【図３】
2013532059.tif 000004
【図４】
2013532059.tif 000005
【国際調査報告】
2013532059.tif 000006
2013532059.tif 000007
2013532059.tif 000008
2013532059.tif 000009
2013532059.tif 000010
2013532059.tif 000011